(57)【要約】【課題】  フロア単位で端末機器をリニューアルする場合に、フロア単位等、所望の端末機器を組み合わせた複数の端末機器をリニューアルする作業が容易である消火システム制御盤を提供することを目的とするものである。【解決手段】  消火システム制御盤において、ゾーン毎に端末機器を制御するゾーン機能を、上記消火システム制御盤に設けたものであり、火災感知器を含む端末機器のそれぞれに付与されているアドレスのいくつかを１つにまとめてゾーンを形成するゾーン形成手段と、上記ゾーン毎に、上記ゾーンに属している端末機器を、一括して制御するゾーン内端末機器一括制御手段とを有する消火システム制御盤である。【選択図】  図１
2006280642.tif 000002
【特許請求の範囲】
【請求項１】
消火システム制御盤において、
中継器を含む端末機器のそれぞれに付与されているアドレスのいくつかを１つにまとめてゾーンを形成するゾーン形成手段と；
上記ゾーン毎に、上記ゾーンに属している端末機器を、一括して制御するゾーン内端末制御手段と；
を有することを特徴とする消火システム制御盤。
【発明の詳細な説明】
【技術分野】
【０００１】
本発明は、消火システム制御盤に関する。
【背景技術】
【０００２】
消火システム制御盤において、中継器やバルブを含む端末機器への制御モードとして、自火報連動モードと単独モードとがある。
【０００３】
上記「自火報連動モード」は、通常運用のモードで、火災受信機からの火災等信号を受けて、消火システム制御盤は関連の端末機器、たとえば中継器に制御命令を発するモードである。
【０００４】
一方、上記「単独モード」は、火災受信機が故障したときや、火災信号が遮断されているとき等、消火システム制御盤が火災信号を受信することができない場合に、消火システム制御盤が独自に端末機器を制御するモードである。
【０００５】
図７は、従来の消火システム制御盤における動作を示すフローチャートである。
【０００６】
従来の消火システム制御盤において、まず、設定されているモードが、単独モードであるかどうかを判断し（Ｓ２１）、上記単独モードであれば、一括単独モードを実行する（Ｓ２２）。
【０００７】
上記「一括単独モード」は、従来の消火システム制御盤において、単独モードが設定されているときに、システム全体の端末機器を、全て（一括して）単独モードにするモードである。
【０００８】
また、従来、消火システム制御盤において、端末機器の連動遮断を行う場合、一括連動（全て遮断）とするか、種別単位（たとえば防火戸、バルブ等）で遮断するしか方法がない。
【０００９】
また、従来は、遠隔自動試験を行う場合、端末機器に付与されているアドレス単位で、遠隔自動試験を行う。
【００１０】
図８は、上記従来例における単独モードの運用図である。
【００１１】
上記実施例において、建屋が、Ｂ１階〜５階であるとし、単独モードで運用した場合には、Ｂ１階〜５階に設置されている端末機器の全てが単独モードになる。
【特許文献１】特開平７−０５１４００号公報
【発明の開示】
【発明が解決しようとする課題】
【００１２】
従来、消火システム制御盤は、単独モードになった場合、端末機器に対する制御は、全ての端末機器を対象として行われるので、処理の柔軟性が欠けている。また、従来の連動遮断は、端末機器の一括（全て遮断）または種別単位（バルブや防火戸等の単位）で実行することができるが、端末機器の設定位置に、たとえばフロアで実行することができない。さらに、遠隔自動試験は、アドレス単位でしか実行できない。
【００１３】
すなわち、上記従来例では、フロア単位等でリニューアルするときに、火災受信機側の端末が、そのフロア単位で未監視状態になっている場合、消火システム制御盤は、そのフロアに関して、火災受信機の情報に関与しない単独モードにする必要があるが、単独モードは一括でしか設定できないので、火災受信機が正常に監視している他のフロアについても、単独モードによる運用になるという問題がある。
【００１４】
また、従来例では、たとえばフロア単位等で端末機器をリニューアルするときに、そのフロアだけを連動遮断にした場合、実現する方法がなく、一括連動遮断によってシステム全体（全てのフロア）を遮断にするか、または、種別連動遮断によって、連動させたくない種別（防火戸等）を選択して遮断する方法になる。この場合、当然、種別連動遮断で選択した種別については、遮断したくない別フロアの機器も遮断されるという問題がある。
【００１５】
また、従来例では、フロア単位等で端末機器をリニューアルするときに、そのフロアだけ遠隔自動試験を行うことを望む場合には、そのフロアに設置されている遠隔自動試験対象の端末をアドレス指定し、１つ１つ試験を行う必要があるので、大変煩雑な作業を要するという問題がある。
【００１６】
つまり、上記従来例において、単独モードでは、システム全体で単独モードとして運用する方法だけであり、連動遮断では、一括または種別単位での遮断方法だけであり、遠隔自動試験では、アドレス単位での実行方法だけであるので、端末機器を、フロア単位でリニューアルする場合、その対応が難しいという問題がある。
【００１７】
本発明は、フロア単位で端末機器をリニューアルする場合に、フロア単位等、所望の端末機器を組み合わせ、複数の端末機器をリニューアルする作業が容易である消火システム制御盤を提供することを目的とするものである。
【課題を解決するための手段】
【００１８】
本発明は、消火システム制御盤において、ゾーン毎に端末機器を制御するゾーン機能を、上記消火システム制御盤に設けたものであり、中継器やバルブを含む端末機器のそれぞれに付与されているアドレスのいくつかを１つにまとめてゾーンを形成するゾーン形成手段と、上記ゾーン毎に、上記ゾーンに属している端末機器を、一括して制御するゾーン内端末機器一括制御手段とを有する消火システム制御盤である。
【発明の効果】
【００１９】
本発明によれば、ゾーン毎に端末機器を制御するゾーン機能を、消火システム制御盤に設けたので、たとえば多数の端末機器をリニューアルする場合等、ゾーン単位で所望の端末機器を組み合わせた複数の端末機器をリニューアルする作業が容易であり、また、たとえば数フロアにまたがって設置されている複数の端末機器のそれぞれに付与されているアドレスを、まとめて１ゾーンとして登録することによって、フロア単位毎に多数の端末機器をリニューアルすることができ、アドレス単位で端末機器をリニューアルする場合よりも、作業が容易であるという効果を奏する。
【発明を実施するための最良の形態】
【００２０】
発明を実施するための最良の形態は、以下の実施例である。
【実施例１】
【００２１】
図１は、本発明の実施例１である消火システム制御盤１０が使用されている消火システム１００を示す図である。
【００２２】
消火システム１００は、防災センタＣＴ１と、火災受信機ＲＥと接続する中継器Ｃ１１、Ｃ２１、Ｃ３と、消火システム制御盤１０と接続する中継器Ｃ１２、Ｃ２２、Ｃ４と、火災感知器ＳＥ１、ＳＥ２と、加圧送水装置２０と、流水検知装置（スプリンクラバルブ）Ｂ１１、Ｂ２１と、テスト弁Ｂ１２、Ｂ２２と、閉鎖型スプリンクラヘッドＳＨ１１、ＳＨ２１と、感熱開放継手ＣＮ１、ＣＮ２と、開放型スプリンクラヘッドＳＨ１２、ＳＨ２２と、補助放水栓ＳＣ１、ＳＣ２とを有する。
【００２３】
防災センタＣＴ１は、消火システム制御盤１０と、火災受信機ＲＥとを有する。加圧送水装置２０は、起動用水圧開閉装置２１と、ポンプ制御盤２２と、ポンプＰ１と、制御弁Ｂ３とを有する。
【００２４】
消火システム制御盤１０は、ゾーン形成手段と、ゾーン内端末機器一括制御手段とを有する。
【００２５】
ゾーン形成手段は、中継器を含む端末機器のそれぞれに付与されているアドレスのいくつかを１つにまとめてゾーンを形成する手段である。ここでは、たとえば中継器Ｃ１２と中継器Ｃ２２に１つのゾーンを形成する手段である。
【００２６】
ゾーン内端末機器一括制御手段は、上記ゾーン毎に、上記ゾーンに属している端末機器を、一括して制御する手段である。つまり、中継器Ｃ１２と中継器Ｃ２２とを一括して制御する手段である。
【００２７】
次に、実施例１の動作について、説明する。
【００２８】
まず、実施例１において、ゾーン登録する動作について、説明する。
【００２９】
ゾーンＺ１の単独モードは、ゾーンＺ１に属している端末機器を対象とする単独モードであり、ゾーンｎの単独モードは、ゾーンｎに属している端末機器を対象とする単独モードである（ｎは、１〜２４の整数である）。
【００３０】
ＤＢツール（データベースを入力するツール）において、ゾーンＺ１〜Ｚ２４の名称を与え、各端末機器について、ゾーンＺ１〜Ｚ２４の各ゾーンにアドレスを割り付ける。なお、１つのゾーンにおける登録可能数（１つのゾーンに所属させることができる端末機器の数）は、最大接続数であるとする。また、ゾーン設定内容を、表示することができ、また、印字可能である。また、上記ＤＢツールからではなく、盤面からも、ゾーンを設定できるようにしてもよい。
【００３１】
図１に示す消火システム１００において、たとえば中継器Ｃ１２および中継器Ｃ２２（それぞれが接続だれている接続機器、たとえばテスト弁Ｂ１２およびＢ２２を含む）をゾーンＺ１に所属させ、単独モードにして、図示しない他のゾーンの設定モード（たとえば自火報連動モード）と区別する。
【００３２】
図２は、実施例１の動作を示すフローチャートである。
【００３３】
最初に、単独モードが設定されているかどうかを判断し（Ｓ１）、単独モードが設定されていれば、一括単独モードが設定されているかどうかを判断し（Ｓ２）、一括単独モードが設定されていれば、一括単独モードを実行する（Ｓ３）。
【００３４】
一括単独モードが設定されていなければ、ゾーンＺ１を対象とする単独モードであるゾーンＺ１の単独モードが設定されているかどうかを判断し（Ｓ４）、ゾーンＺ１の単独モードが設定されていれば（Ｓ４）、ゾーンＺ１の単独モードを実行し（Ｓ５）、次の単独モード設定を確認する（Ｓ６）。
【００３５】
ゾーンＺ１の単独モードが設定されていなければ（Ｓ４）、ゾーンＺ２の単独モードが設定されているかどうかを判断し（Ｓ６）、ゾーンＺ２の単独モードが設定されていれば（Ｓ６）、ゾーンＺ２の単独モードを実行する（Ｓ７）。
【００３６】
これらの処理を繰り返した後に、ゾーンＺ２４の単独モードが設定されているかどうかを判断し（Ｓ１１）、ゾーンＺ２４の単独モードが設定されていれば（Ｓ１１）、ゾーンＺ２４の単独モードを実行する（Ｓ１２）。ゾーンＺ２４の単独モードが設定されていなければ（Ｓ１１）、判断されたゾーンの単独モードを実行する（Ｓ１３）。
【００３７】
連動遮断する場合、ＬＣＤから、「ゾーン遮断連動」ＳＷを操作し、ゾーン単位で連動遮断するように設定する。この設定によって、ブロック単位でリニューアルする場合、そのフロアで、施工試験等を実施する際に、その他の平常監視フロアを、連動遮断にすることができる。
【００３８】
実施例１において、ＬＣＤから、遠隔自動試験する場合、アドレス範囲を指定して試験するだけではなく、ゾーン範囲を指定して試験することができる。これによって、リニューアルの際に、ゾーン単位で容易に試験することができる。
【００３９】
単独モードを実行する場合、ＬＣＤから、スイッチ操作することによって、ゾーン単位で単独モードを実行することができる。これによって、受信機側でメンテナンス等を行う場合、受信機において、未監視に設定されているゾーン（端末機器の塊だけ）を、消火システム制御盤１０では、単独モードとすることができ、その他のゾーンは通常監視（自火報連動モード）で運用可能である。
【００４０】
図３は、実施例１における単独モードの運用図である。
【００４１】
図３に示す例では、Ｂ１階、１階、２階、３階、４階、５階に設けられている端末機器を、それぞれ、ゾーンＺ１、Ｚ２、Ｚ３、Ｚ４、Ｚ５、Ｚ６として設定し、ゾーンＺ１、Ｚ２、Ｚ５、Ｚ６を、通常モードに設定し、ゾーンＺ３、Ｚ４を、単独モードに設定した場合の例である。
【００４２】
図４は、実施例１における通常モードの動作を示すフローチャートである。
【００４３】
図４は、ゾーンＺ１、Ｚ２、Ｚ５、Ｚ６で火災が発生した場合の動作であって、通常監視モードの動作を示す。
【００４４】
Ｓ１では、火災が発生すると、Ｓ２では、煙や熱等を検知した火災感知器ＳＥ１が動作すると、火災中継器Ｃ１１を介して、火災受信機ＲＥが火災信号を受信する。これによって、火災受信機ＲＥは、Ｓ３で、火災報知動作を行う（火災表示）とともに、火災発生位置を判別し（階別処理）消火システム制御盤１０へ移報出力する。
【００４５】
この消火システム制御盤１０は、Ｓ４で、火災入力表示を行い、かつ流水検知装置Ｂ１１起動信号を火災発生位置に対応する中継器Ｃ１２へ送出する。起動信号を受けた中継器Ｃ１２は、Ｓ５で、流水検知装置Ｂ１１中の図示しない起動弁を開放動作させ、この起動弁が全開して待機状態となると、流水検知装置Ｂ１１は、中継器Ｃ１２を介して、消火システム制御盤１０へ上記起動弁の開放信号を送出する。上記起動弁の開放信号を受けた消火システム制御盤１０は、Ｓ６で、当該階の上記起動弁が開放したことを表示する。
【００４６】
Ｓ７では、上記流水検知装置Ｂ１１の待機状態に続いて、Ｓ８では、閉鎖型スプリンクラヘッドＳＨ１１が開栓することによって、２次側配管内の２次圧が低下すると、Ｓ９で、流水検知装置Ｂ１１が開放され、図示しない圧力スイッチが流水を検知すると、中継器Ｃ１２は、流水信号を消火システム制御盤１０へ送出する。
【００４７】
Ｓ１０では、消火システム制御盤１０は放水区域を表示し、警報動作を行うとともに火災受信機ＲＥへ移報出力するので、Ｓ１１では、火災受信機ＲＥは、消火システム制御盤１０と同様の表示・警報を行う。
【００４８】
その後、Ｓ１２では、閉鎖型スプリンクラヘッドＳＨ１１は、調圧された消火水を放水し、このために、Ｓ１３では、加圧送水装置２０内の起動用水圧開閉装置２１の圧力が低下し、圧力スイッチが作動すると、Ｓ１４では、ポンプＰ１が自動起動される。この旨が、中継器Ｃ４によって、Ｓ１５で、消火システム制御盤１０に表示され、また、Ｓ１６で、火災受信機ＲＥに表示される。
【００４９】
その後、Ｓ１７では、流水検知装置Ｂ１１が調圧された消火水を供給し、Ｓ１８では、火災の消火に至る。
【００５０】
図５は、実施例１における単独モードの動作を示すフローチャートである。
【００５１】
ゾーンＺ３、Ｚ４で火災が発生した場合の動作であって、この単独作動モードは、火災受信機ＲＥが点検等のために連動遮断状態にある場合に、用いられるモードである。Ｓ４１で、火災が発生し、この熱によって、Ｓ４２では、たとえば閉鎖型スプリンクラヘッドＳＨ１１を開栓し、Ｓ４３では、流水検知装置Ｂ１１の２次側配管内の圧力が低下したことを、図示しない２次圧低下用圧力スイッチが検知すると、中継器Ｃ１２は、２次圧低下信号を消火システム制御盤１０に送出する。この消火システム制御盤１０は、受信した２次圧低下信号を火災信号として認識し、Ｓ４４で、火災表示を行うとともに、流水検知装置Ｂ１１の起動信号を当該中継器Ｃ１２へ送出する。
【００５２】
起動信号を受けた中継器Ｃ１２は、Ｓ４５で、流水検知装置Ｂ１１中の図示しない起動弁を開放動作させ、この上記起動弁が全開して待機状態となると、流水検知装置Ｂ１１は、中継器Ｃ１２を介して、消火システム制御盤１０へ、上記起動弁の開放信号を送出する。上記起動弁の開放信号を受けた消火システム制御盤１０は、Ｓ４６で、当該階の上記起動弁が開放したことを表示する。
【００５３】
Ｓ４２で、閉鎖型スプリンクラヘッドＳＨ１１が開栓しているので、Ｓ４７では、流水検知装置Ｂ１１が流水を検知すると、中継器Ｃ１２が流水信号を、消火システム制御盤１０へ送出する。Ｓ４８では、消火システム制御盤１０は、放水区域を表示し、警報動作を行うとともに、火災受信機ＲＥへ移報出力する。
【００５４】
その後に、Ｓ４９では、流水検知装置Ｂ１１が、調圧された消火水を放水し、これによって、Ｓ５０では、起動用水圧開閉装置２１の圧力が低下し、圧力スイッチ（図示しない）が作動し、Ｓ５１では、ポンプＰ１が自動起動される。このことが、中継器Ｃ４によって、Ｓ５２で、消火システム制御盤１０に表示される。その後に、Ｓ５３では、流水検知装置Ｂ１１が、調圧された消火水を放水し、Ｓ５４で、火災の消火に至る。
【００５５】
上記実施例によれば、ゾーン単位の単独モードを使用するので、ゾーンＺ３、Ｚ４のみを単独モードとし、その他の区域（ゾーンＺ１、Ｚ２、Ｚ５、Ｚ６）を、通常モード（工事、メンテナンス等が終了し、正常に火災監視するモード）にすることができる。これによって、施工、リニューアルの便利さが向上する。
【００５６】
また、上記実施例によれば、ゾーン機能を設けたので、たとえば１フロアを１ゾーンとして、フロア単位で遠隔試験を行うことができる。たとえば、ゾーンＺ３を指定する遠隔試験入力を行うと、２階に設けられている流水検知装置Ｂ２１を、個別にアドレス指定して遠隔試験を行う。
【００５７】
図６は、実施例１における遠隔試験動作を示すフローチャートである。
【００５８】
静的なシステムの異常発見は、状態監視によって行われるが、動的な信頼性は、遠隔試験を実施することによって確認することができる。この試験では、スプリンクラヘッド動作時と等価な流水を遠隔操作で行い、バルブ等の制御警報機能を、自動的に試験し、機能確認することが可能である。流水検知装置Ｂ２１は、従来のスプリンクラ消火設備に設けられている端末試験弁に相当する遠隔試験機能を内蔵し、消火システム制御盤１０上の試験開始ボタンを操作することによって、２階に設けられている流水検知装置Ｂ２１に対して、所定のプログラムされたシーケンスに従う試験を実行し、流水検知装置Ｂ２１、消火システム制御盤１０の制御機能の確認をステップ毎に行う。
【００５９】
図６は、実施例１における遠隔試験シーケンスの動作を示すフローチャートである。
【００６０】
Ｓ７１では、消火システム制御盤１０のスイッチＳＷを操作し、消火システム制御盤１０へ遠隔試験入力を行うと、消火システム制御盤１０は、Ｓ７２で、遠隔試験と遠隔試験アドレスとを表示するとともに、テスト弁Ｂ２２の開放信号を、中継器Ｃ２２を介して、流水検知装置Ｂ２１中のテスト弁Ｂ２２へ送出する。Ｓ７３では、テスト弁Ｂ２２が開放し、２０秒以内に全開信号が返って来るかどうかをチェックした後に、消火システム制御盤１０は、Ｓ７４で、テスト弁Ｂ２２の開放を表示する。
【００６１】
テスト弁Ｂ２２の全開後（または全開信号以前）、Ｓ７５で発生させた２次圧低下信号が３分以内に返って来ることをチェックした後に、消火システム制御盤１０は、Ｓ７６では、２次圧の低下を表示し、また流水検知装置Ｂ２１内の図示しない起動弁の開放信号を、中継器Ｃ２２を介して、流水検知装置Ｂ２１中の上記起動弁へ送出する。Ｓ７７では、上記起動弁が全開し、２０秒以内に全開信号が返って来ることをチェックした後に、消火システム制御盤１０は、Ｓ７８で、上記起動弁の開放を表示する。
【００６２】
上記起動弁の全開後（または全開信号以前）、Ｓ７９で発生させた流水信号が３分以内に返って来ることをチェックした後に、消火システム制御盤１０は、Ｓ８０で、流水検知装置Ｂ２１の開放を表示し、また、テスト弁Ｂ２２の閉鎖信号を、中継器Ｃ２２を介して、テスト弁Ｂ２２へ送出する。Ｓ８１では、テスト弁Ｂ２２が閉止し、２０秒以内に全閉信号が返って来ることをチェックした後に、消火システム制御盤１０は、Ｓ８２においてテスト弁Ｂ２２の閉止を表示する。この間、Ｓ８３では、消火システム制御盤１０は、上記起動弁の閉鎖信号を、中継器Ｃ２２を介して、上記起動弁へ送出する。Ｓ８４では、上記起動弁が閉止し、２０秒以内に全閉信号が返って来ることをチェックした後に、消火システム制御盤１０は、Ｓ８５において、上記起動弁の閉止を表示する。
【００６３】
その後、Ｓ８６では、流水検知装置Ｂ２１を閉止することによって、流水信号を停止させ、この旨を、Ｓ８７にて表示させ、また、Ｓ８８では、２次圧低下信号を復旧させ、この旨を、Ｓ８９において、表示させ、以上の応答が１０秒以内に落ちることを確認した後に、Ｓ９０にて、遠隔試験が終了したことを表示する。
【００６４】
上記実施例によれば、複数のアドレスをまとめて１つのゾーンを形成し、１つのフロアまたは数フロアに設置されている多数のテスト弁を、１つのゾーンにとして制御することができる。これによって、種々のリニューアルの便利さが向上する。
【図面の簡単な説明】
【００６５】
【図１】本発明の実施例１である消火システム制御盤１０が使用されている消火システム１００を示す図である。
【図２】実施例１の動作を示すフローチャートである。
【図３】実施例１における単独モードの運用図である。
【図４】実施例１における通常監視モードの動作を示すフローチャート図である。
【図５】実施例１における単独作動モードの動作を示すフローチャート図である。
【図６】実施例１における遠隔試験シーケンスの動作を示すフローチャート図である。
【図７】従来の消火システム制御盤における動作を示すフローチャートである。
【図８】上記従来例における一括モードの運用図である。
【符号の説明】
【００６６】
１００…消火システム、
１０…消火システム制御盤、
ＲＥ…火災受信機、
ＳＥ１、ＳＥ２…火災感知器、
Ｃ１２、Ｃ２２、Ｃ３、Ｃ４…中継器。
【図１】
2006280642.tif 000003
【図２】
2006280642.tif 000004
【図３】
2006280642.tif 000005
【図４】
2006280642.tif 000006
【図５】
2006280642.tif 000007
【図６】
2006280642.tif 000008
【図７】
2006280642.tif 000009
【図８】
2006280642.tif 000010